(57)【要約】      （修正有）【課題】複数のリモート照明装置を使用した場合であっても、いずれのリモート照明装置において発光が成功又は不成功であったかを識別可能な撮影用照明システムを提供する。【解決手段】撮影用照明システムは、送信部を有するマスター装置と、前記送信部から送信される信号を受信可能な受信部（１７）、該受信部（１７）により受信された前記信号に応じて発光する発光部（１９）、及び音程と発音タイミングとの少なくとも一方が可変であるとともに前記受信部（１７）により受信された信号に応じて発音する発音部（２２）、を有するリモート照明装置と、を備える。【選択図】図３
2008304564.tif 000002
【特許請求の範囲】
【請求項１】
送信部を有するマスター装置と、
前記送信部から送信される信号を受信可能な受信部、該受信部により受信された前記信号に応じて発光する発光部、及び音程と発音タイミングとの少なくとも一方が可変であるとともに前記受信部により受信された信号に応じて発音する発音部、を有するリモート照明装置と、
を備える撮影用照明システム。
【請求項２】
請求項１に記載の撮影用照明システムであって、
前記リモート照明装置を複数備えることを特徴とする撮影用照明システム。
【請求項３】
請求項２に記載の撮影用照明システムであって、
前記マスター装置から送信される前記信号が、前記複数のリモート照明装置それぞれの前記発音部を、異なる音程と異なる発音タイミングとの少なくとも一方により発音させるコマンドを含むことを特徴とする撮影用照明システム。
【請求項４】
請求項３に記載の撮影用照明システムであって、
前記マスター装置から送信される前記信号が、前記発光部が正常に発光した場合に前記発音部を発音させるコマンドを含むことを特徴とする撮影用照明システム。
【請求項５】
請求項３に記載の撮影用照明システムであって、
前記マスター装置から送信される前記信号が、前記発光部の発光に異常が生じた場合に前記発音部を発音させるコマンドを含むことを特徴とする撮影用照明システム。
【請求項６】
請求項３に記載の撮影用照明システムであって、
前記マスター装置から送信される前記信号が、前記発光部が正常に発光した場合と、前記発光部の発光に異常が生じた場合とで、前記発音部を異なる音程と異なるタイミングとの少なくとも一方で発音させるコマンドを含むことを特徴とする撮影用照明システム。
【請求項７】
請求項１〜６に記載の撮影用照明システムであって、
前記マスター装置がカメラに設けられていることを特徴とする撮影用照明システム。
【請求項８】
マスター装置から送信される信号を受信可能な受信部と、
該受信部により受信された信号に応じて発光する発光部と、
音程と発音タイミングとの少なくとも一方が可変であるとともに前記受信部により受信された信号に応じて発音する発音部と、を有することを特徴とするリモート照明装置。
【請求項９】
送信部を備え、
該送信部が、前記送信部から送信される信号を受信可能な受信部、該受信部により受信された信号に応じて発光する発光部、及び音程と発音タイミングとの少なくとも一方が可変であるとともに前記受信部により受信された信号に応じて発音する発音部を有するリモート照明装置に対して、前記発音部に異なる音程又は異なる発音タイミングの少なくとも一方で発音させるコマンドを含む信号を送信可能なことを特徴とするカメラ。
【発明の詳細な説明】
【技術分野】
【０００１】
本発明は、撮影用照明システム、リモート照明装置及びカメラに関するものである。
【背景技術】
【０００２】
従来、写真撮影を行う場合、カメラ本体から離れた位置に複数のリモート照明装置を配置し、マスター装置よりリモート照明装置に光通信又は無線等による信号を送信することによりリモート照明装置を発光させ、複数方向より被写体を照明するシステムが実用化されている。このようなシステムにおいて、発光が正常に行われたリモート照明装置から音を発生させ、動作の成功の確認を行うものがある。また、発光に何らかの不具合があった場合、不具合があったリモート照明装置から音を発生させて発光動作に不具合があったことを知らせるものもある（例えば、特許文献１参照）。
【特許文献１】特開２００５−６２３２８号公報
【発明の開示】
【発明が解決しようとする課題】
【０００３】
しかし、従来、複数のリモート照明装置が同時に発音すると、いずれのリモート照明装置が発音しているのか撮影者には判別しにくい。また、複数のリモート照明装置が同一期間に発音すると、各リモート照明装置がもつ発音体の個体差による微妙な音程のずれによって、うなりが発生して聞き苦しいという問題がある。
【０００４】
本発明は、複数のリモート照明装置を使用した場合であっても、いずれのリモート照明装置が発音しているのかを識別可能な撮影用照明システム、リモート照明装置及びカメラを提供することを目的とする。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、送信部（１４）を有するマスター装置（２）と、前記送信部（１４）から送信される信号を受信可能な受信部（１７）、該受信部（１７）により受信された前記信号に応じて発光する発光部（１９）、及び音程と発音タイミングとの少なくとも一方が可変であるとともに前記受信部（１７）により受信された信号に応じて発音する発音部（２２）、を有するリモート照明装置（３）と、を備える撮影用照明システム（１）である。
請求項２に記載の発明は、請求項１に記載の撮影用照明システムであって、前記リモート照明装置（３）を複数備えることを特徴とする撮影用照明システム（１）である。
請求項３に記載の発明は、請求項２に記載の撮影用照明システムであって、前記マスター装置（２）から送信される前記信号が、前記複数のリモート照明装置（３）それぞれの前記発音部（２２）を、異なる音程と異なる発音タイミングとの少なくとも一方により発音させるコマンドを含むことを特徴とする撮影用照明システム（１）である。
請求項４に記載の発明は、請求項３に記載の撮影用照明システムであって、前記マスター装置（２）から送信される前記信号が、前記発光部（１９）が正常に発光した場合に前記発音部（２２）を発音させるコマンドを含むことを特徴とする撮影用照明システム（１）である。
請求項５に記載の発明は、請求項３に記載の撮影用照明システムであって、前記マスター装置（２）から送信される前記信号が、前記発光部（１９）の発光に異常が生じた場合に前記発音部（２２）を発音させるコマンドを含むことを特徴とする撮影用照明システム（１）である。
請求項６に記載の発明は、請求項３に記載の撮影用照明システムであって、前記マスター装置（２）から送信される前記信号が、前記発光部（１９）が正常に発光した場合と、前記発光部（１９）の発光に異常が生じた場合とで、前記発音部（２２）を異なる音程と異なるタイミングとの少なくとも一方で発音させるコマンドを含むことを特徴とする撮影用照明システム（１）である。
請求項７に記載の発明は、請求項１〜６に記載の撮影用照明システムであって、前記マスター装置がカメラ（２）に設けられていることを特徴とする撮影用照明システム（１）である。
請求項８に記載の発明は、マスター装置（２）から送信される信号を受信可能な受信部（１７）と、該受信部（１７）により受信された信号に応じて発光する発光部（１９）と、音程と発音タイミングとの少なくとも一方が可変であるとともに前記受信部（１７）により受信された信号に応じて発音する発音部（２２）と、を有することを特徴とするリモート照明装置（３）である。
請求項９に記載の発明は、送信部（１４）を備え、該送信部（１４）が、前記送信部（１４）から送信される信号を受信可能な受信部（１７）、該受信部（１７）により受信された信号に応じて発光する発光部（１９）、及び音程と発音タイミングとの少なくとも一方が可変であるとともに前記受信部（１７）により受信された信号に応じて発音する発音部（２２）を有するリモート照明装置（３）に対して、前記発音部（２２）に異なる音程又は異なる発音タイミングの少なくとも一方で発音させるコマンドを含む信号を送信可能なことを特徴とするカメラ（２）である。
なお、符号を付して説明した構成は、適宜改良してもよく、また、少なくとも一部を他の構成物に代替してもよい。
【発明の効果】
【０００７】
本発明によれば、複数のリモート照明装置を使用した場合であっても、いずれのリモート照明装置が発音しているのかを識別することができる。
【発明を実施するための最良の形態】
【０００８】
（第１実施形態）
以下、図面等を参照して、本発明の実施形態について説明する。図１は第１実施形態の撮影用照明システム１を示した図である。撮影用照明システム１は、カメラ２と、３台のリモート照明装置３Ａ，３Ｂ，３Ｃとを備える。なお、本実施形態では３台のリモート照明装置３Ａ，３Ｂ，３Ｃを備える撮影用照明システム１について説明するが、リモート照明装置の数は複数であればよく、３台に限定されるものではない。
【０００９】
図２はカメラ２のブロック図である。カメラ２は、被写体光を集光するレンズ５と、被写体像を撮像する撮像素子６と、シャッタ羽根（不図示）を開閉することにより撮像素子６への被写体光の入射時間を調整するシャッタ７と、そのシャッタ７を駆動するシャッタ駆動装置８と、各部を制御するＣＰＵ９とを備える。撮像素子６は、露光時に結像された被写体像を電気信号に変換するものであり、例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒ  Ｍｅｔａｌ  Ｏｘｉｄｅ  Ｓｅｍｉｃｏｎｄｕｃｔｏｒ）等の光電変換素子である。
【００１０】
また、カメラ２は、レリーズスイッチ１１を備える。レリーズスイッチ１１は、後述するレンズ釦が半押しされると測光処理や撮影光学系の合焦処理等の撮影準備動作を行うための撮影準備信号を出力し、全押しされるとレリーズ処理をするためのレリーズ信号をＣＰＵ９に出力し、これによりシャッタ７がシャッタ駆動装置８により開閉される。
【００１１】
さらにカメラ２は、測光センサ１３と、送信部１４と、操作部１５とを備える。測光センサ１３は、測光した値をＣＰＵ９に出力する、例えばＣＣＤ等の受光素子である。送信部１４は、無線方式の送信部１４であり、後述するリモート照明装置３の受信部１７と無線ＬＡＮ、Ｂｌｕｅｔｏｏｔｈ、又はＺｉｇＢｅｅなどの無線通信を介して接続可能になっており、ＣＰＵ９によって発せられる各種コマンドをリモート照明装置３に送信することができる。また、操作部１５は、カメラ２に対して、カメラ２の使用者が各種操作を行う部分で、例えば、後述するリモート照明装置３の音程を設定操作するための操作部材や、その設定した情報をリモート照明装置３へ送信するために操作される操作釦や、カメラレリーズを行うために操作される周知のレリーズ釦などを含むものである。
【００１２】
図３はリモート照明装置３のブロック図である。リモート照明装置３は、カメラ２の送信部１４より送信される信号を受信する受信部１７と、受信した信号に基づき各部を制御するＣＰＵ１８と、閃光を発するキセノン管１９と、ＣＰＵ１８からの信号によりキセノン管１９の発光を制御する発光制御回路２０と、を備える。
【００１３】
リモート照明装置３は、さらに、キセノン管１９の本発光後に音を発する発音部２２と、ＣＰＵ１８からの信号に基づき発音部２２が発する音程を制御する音程制御部２３とを備える。音程制御部２３は、例えば分周回路（図示せず）を備え、分周レートを変更することで発音部２２から異なる音を発音させることができるようになっている。
【００１４】
次に、撮影用照明システム１の動作について説明する。図４はカメラ２の動作を示すフローチャートであり、図５はリモート照明装置３Ａの動作を示すフローチャートであり、また図６は各リモート照明装置３Ａ，３Ｂ，３Ｃの動作を示すタイミング図である。
【００１５】
カメラ２の動作について図４及び図６により説明する。まず、カメラ２の操作部１５の操作部材によって、各々のリモート照明装置３Ａ，３Ｂ，３Ｃがキセノン管１９の本発光後に発音する音程ａ，ｂ，ｃを設定する（Ｓ１）。この音程ａ，ｂ，ｃは、各リモート照明装置３Ａ，３Ｂ，３Ｃごとに設定することができる。また、各種和音を選択可能に設け、和音パターンのいずれかを選択することにより自動的にリモート照明装置３Ａ，３Ｂ，３Ｃに和音を構成する音程ａ，ｂ，ｃをそれぞれ設定するようにしてもよい。本実施形態では、例えばリモート照明装置３Ａに音程ａとして「ド」の音、リモート照明装置３Ｂに音程ｂとして「ミ」の音、リモート照明装置３Ｃに音程ｃとして「ソ」の音を設定する。
【００１６】
なお、本実施形態では、各リモート照明装置３Ａ，３Ｂ，３Ｃが本発光後にそれぞれ発音する回数は、２回に設定されているが、これに限定されるものではなく、１回でもよく、また３回以上であってもよい。また、本実施形態では、本発光が成功した場合に発音し、一方、例えば後述するコマンドのいずれかが受信できなかった場合や、あるいは発光量が不足したといった何らかの不具合があった場合には、そのリモート照明装置は発音しないように設定されている。また、本発光から各リモート照明装置３Ａ，３Ｂ，３Ｃが発音するまでの時間は全て同じ時間ｔで設定されている。
【００１７】
上述の操作部１５の送信釦が操作されると、送信部１４は各リモート照明装置３Ａ，３Ｂ，３Ｃに対して設定された音程ａ，ｂ，ｃを含む予約コマンドを各リモート照明装置３Ａ，３Ｂ，３Ｃに送信する（Ｓ２，Ｓ３，Ｓ４）。この送信タイミングはミクロ的にみれば時系列的に順次各照明装置３Ａ，３Ｂ，３Ｃに送信されるものではあるが、マクロ的にみればほぼ同じタイミングで送信されるものである。
【００１８】
その後、カメラ２のレリーズスイッチ１１（レリーズ釦）が全押しされるまで待機し、レリーズスイッチ１１が全押しされると（Ｓ５，Ｙ）と、モニタ発光を指示するモニタ発光コマンドが送信部１４から各リモート照明装置３Ａ，３Ｂ，３Ｃに送信される（Ｓ６）。本実施形態では、標準的な自動調光モードとして一般に使用されるＴＴＬ（Ｔｈｒｏｕｇｈ  Ｔｈｅ  Ｌｅｎｓ）調光モードが使用され、「モニタ発光」とは、カメラ２でこのＴＴＬ調光を実現するための、露光タイミングの前における予備的な測光のための発光をいう。
【００１９】
モニタ発光コマンドをそれぞれの受信部１７で受信した各リモート照明装置３Ａ，３Ｂ，３Ｃが順次モニタ発光すると、その各リモート照明装置３Ａ，３Ｂ，３Ｃの発光量が測光センサ１３で測定される（Ｓ７）。測定された発光量に基づき、各リモート照明装置３Ａ，３Ｂ，３Ｃにおける本発光で発光すべき発光量がカメラ２のＣＰＵ９で演算され、この結果であるそれぞれの本発光量に関する情報が送信部１４から各リモート照明装置３Ａ，３Ｂ，３Ｃに送信される（Ｓ８）。この送信と同時に又は直後に本発光のタイミングを含む本発光コマンドが送信部１４から各リモート照明装置３Ａ，３Ｂ，３Ｃに送信される（Ｓ９）。本発光のタイミングとは、シャッタ７が全開し、撮像素子６の全面が露光状態となるタイミング（Ｘ接点のオンタイミング）であり、このタイミングでリモート照明装置３Ａ，３Ｂ，３Ｃのキセノン管１９は演算された発光量で本発光を行う。
【００２０】
次に、リモート照明装置３の動作について図５及び図６により説明する。なお、リモート照明装置３としてリモート照明装置３Ａを例にして説明するが、他のリモート照明装置３Ｂ，３Ｃも同様である。
【００２１】
カメラ２側から予約コマンドが送信される（図４におけるＳ２）と、その予約コマンドを受信部１７が受信する（Ｓ１１）。リモート照明装置３ＡではＣＰＵ１８より音程制御部２３に信号が送られ、発音部２２が、カメラ２側において設定された音程で発音するように設定される（Ｓ１２）。
【００２２】
カメラ２側におけるレリーズスイッチ１１の全押しにより送信されるモニタ発光コマンドを受信部１７で受信すると（Ｓ１３）、モニタ発光が行われる（Ｓ１４）。なお、このモニタ発光はリモート照明装置３Ａに続いてリモート照明装置３Ｂ，３Ｃにおいても順次行われる。
【００２３】
このモニタ発光の発光量がカメラ２の測光センサ１３で受光されて各リモート照明装置３Ａ，３Ｂ，３Ｃの発光量が演算されると、その演算量がカメラ２より送信されて各リモート照明装置３Ａ，３Ｂ，３Ｃは本発光の発光量に関する情報を受信する（Ｓ１５）。また、本発光のタイミングに関する情報もカメラ２側から受信する（Ｓ１６）。
【００２４】
本発光が行われ（Ｓ１７）、時間ｔ経過した後、リモート照明装置３Ａは音程ａで２回発音する（Ｓ１８）。また、その際リモート照明装置３Ｂ，３Ｃもそれぞれ音程ｂ，ｃで同時に２回発音する。図７は、このとき、リモート照明装置３Ａ，３Ｂ，３Ｃの全体で奏でる和音を示した図であり、「ドミソ」の和音が２回鳴らされる。一方、いずれかのリモート照明装置に、例えば本発光のいずれかのコマンドが受信できなかった場合、また発光量が不足したといった何らかの不具合があった場合、そのリモート照明装置は発音しない。したがって和音はいずれかの音が欠けた不完全な和音となる。
【００２５】
以上、本実施形態によると、以下の効果を有する。
（１）上述したように、リモート照明装置３Ａ，３Ｂ，３Ｃの全てが本発光に成功した場合、全体として図７に示す和音が発音される。一方、いずれかのリモート照明装置に何らかの不具合があった場合、そのリモート照明装置は発音せず、和音は不完全な和音となる。ゆえに、いずれかのリモート照明装置に不具合が生じたことを認識することができる。
（２）複数のリモート照明装置３Ａ，３Ｂ，３Ｃが同時に発音しても、異なる音程であるので聞き分けることが出来る。また、リモート照明装置３Ａ，３Ｂ，３Ｃごとに音程が決まっているので、音程により、どのリモート照明装置が発音したかを識別でき、どのリモート照明装置に不具合が生じたかを認識することができる。
（３）適当な音程差を選ぶことで、複数のリモート照明装置３Ａ，３Ｂ，３Ｃが同時に発音した場合、心地よい和音とすることが出来る。
【００２６】
（第２実施形態）
次に、本発明の第２実施形態について説明する。図８は第２実施形態におけるリモート照明装置３０のブロック図である。図示するように、リモート照明装置３０は、第１実施形態のリモート照明装置３と音程制御部２３を備えていない点が異なる。他の部分は第１実施形態と同様であり、同一部分には同一の符号を付し、その説明は省略する。
【００２７】
第２実施形態におけるカメラ２の動作について説明する。第１実施形態と異なる点は、カメラ２の操作部１５より各リモート照明装置３Ａ，３Ｂ，３Ｃに対して、音程ではなく、各々のリモート照明装置３Ａ，３Ｂ，３Ｃの発音タイミングｔａ，ｔｂ，ｔｃを設定する点である。発音タイミングとは、本発光から各リモート照明装置３Ａ，３Ｂ，３Ｃが発音までの時間である。この発音タイミングｔａ，ｔｂ，ｔｃについて、例えば、リモート照明装置３Ａは本発光から時間ｔａ後、リモート照明装置３Ｂは本発光から時間ｔｂ（ｔａ＜ｔｂ）後、リモート照明装置３Ｃは本発光から時間ｔｃ（ｔｂ＜ｔｃ）後、というように個々に設定することもできる。また、リモート照明装置３Ａを第１のリモート照明装置、リモート照明装置３Ｂを第２のリモート照明装置、リモート照明装置３Ｃを第３のリモート照明装置として設定すると、自動的に本発光から一定の間隔でリモート照明装置３Ａ、リモート照明装置３Ｂ、リモート照明装置３Ｃの順に鳴るようにすることもできる。
【００２８】
カメラ２側から各々のリモート照明装置３に対して設定された発音タイミングを含む予約コマンドは各リモート照明装置３Ａ，３Ｂ，３Ｃに送信される。第１実施形態と同様に、モニタ発光が行われ、発光すべき発光量が各リモート照明装置３Ａ，３Ｂ，３Ｃに、本発光のタイミングとともに本発光コマンドとして送信される。
【００２９】
リモート照明装置３Ａでは、カメラ２側からの予約コマンドを受信部１７が受信し、ＣＰＵ１８において発音部２２が、カメラ２側において設定された時間ｔａで発音するように設定される。レリーズスイッチ１１が全押しされるとモニタ発光が行われ、カメラ２よりそのモニタ発光量により演算された本発光の発光量を受信する。そして本発光が行われた後、リモート照明装置３Ａは本発光から時間ｔａ経過後、発音する。
【００３０】
また、他のリモート照明装置３Ｂ，３Ｃも、本発光が成功した場合、リモート照明装置３Ａに続いて時間ｔｂ、ｔｃ後にそれぞれ発音する。したがって、リモート照明装置３Ａ，３Ｂ，３Ｃの全てが本発光に成功した場合、図９に示すように一定の間隔で発音される。一方、いずれかのリモート照明装置に何らかの不具合があった場合、そのリモート照明装置に割り当てられたタイミングにおいて発音がなされない。
【００３１】
以上、本実施形態によると、リモート照明装置３Ａ，３Ｂ，３Ｃの全てが本発光に成功した場合、全体として図９示すように一定のタイミングで発音される。一方、いずれかのリモート照明装置何らかの不具合があった場合、そのリモート照明装置３は発音しない。したがって、いずれかのリモート照明装置３に不具合が生じたことを容易に認識することができる。
【００３２】
（変形形態）
以上、説明した実施形態に限定されることなく、以下に示すような種々の変形や変更が可能であり、それらも本発明の範囲内である。
（１）第１実施形態及び第２実施形態では、送信部１４をカメラ２に設ける構成としたが、これに限定されず、カメラ２に着脱可能な撮影用照明装置に設けられていてもよく、またカメラに装着可能な独立した送信部でもよく、またカメラに装着可能な撮影用照明装置にさらに装着可能な送信部であってもよい。
（２）第１実施形態及び第２実施形態では、本発光が成功した場合に発音し、本発光に不具合があった場合には発音しないようにしたが、これに限定されない。例えば、本発光に不具合があった場合に発音し、本発光に成功した場合に発音しないようにしてもよい。
（３）各リモート照明装置３Ａ，３Ｂ，３Ｃごとに音程と発音タイミングとの両方を異ならせて発音させることもできる。図１０はこの場合の、リモート照明装置全体で奏でる音を示した図である。この変形形態によると、さらにリモート照明装置を識別しやすくなる。
（４）本発光が成功した場合と本発光に不具合があった場合との両方において発音させてもよい。そして、発光が成功した場合には心地よい音の組み合せで、発光に不具合があった場合には、例えば増四度の音の組み合せで発音するようにして、さらに両者のタイミングをずらせて発音するようにしてもよい。図１１はリモート照明装置３Ｂの発光に不具合があった場合を示したものである。発光が成功したリモート照明装置３Ａ及び３Ｃにおいては、「ド」と「ミ」の音が発音される。一方、発光に不具合があったリモート照明装置３Ｂは「ド」と「ファ」のシャープといった不安定な感じを与える組み合せの音が発音され、不具合があったリモート照明装置３Ｂを容易に認識することができる。
（５）また、本実施形態ではカメラ２側に音程や発音タイミングを設定する操作部１５を設けたがこれに限定されず、リモート照明装置３側に音程変更スイッチや発音タイミング設定スイッチ等を設けてもよい。
（６）本実施形態では送信部と受信部とを無線電波方式により接続したがこれに限定されず、光パルス列方式により接続してもよい。さらに有線により接続することもできる。
なお、第１実施形態、第２実施形態及び変形形態は、適宜組み合せて用いることもできるが、詳細な説明は省略する。また、本発明は以上説明した各実施形態によって限定されることはない。
【図面の簡単な説明】
【００３３】
【図１】本発明の第１実施形態の撮影用照明システムを示した図である。
【図２】第１実施形態のカメラのブロック図である。
【図３】第１実施形態のリモート照明装置のブロック図である。
【図４】第１実施形態のカメラの動作を示すフローチャートである。
【図５】第１実施形態のリモート照明装置における動作を示すフローチャートである。
【図６】第１実施形態の各リモート照明装置における動作を示すタイミング図である。
【図７】第１実施形態においてリモート照明装置全体で奏でる和音を示した図である。
【図８】第２実施形態のリモート照明装置のブロック図である。
【図９】第２実施形態における、リモート照明装置の発音を示した図である。
【図１０】本発明の変形形態における、リモート照明の発音を示した図である。
【図１１】本発明の変形形態における、リモート照明装置３Ｂの発光に不具合があった場合のリモート照明の発音を示した図である。
【符号の説明】
【００３４】
１：撮影用照明システム、２：カメラ、３：リモート照明装置、１４：送信部、１７：受信部、１９：発光部、２２：発音部
【図１】
2008304564.tif 000003
【図２】
2008304564.tif 000004
【図３】
2008304564.tif 000005
【図４】
2008304564.tif 000006
【図５】
2008304564.tif 000007
【図６】
2008304564.tif 000008
【図７】
2008304564.tif 000009
【図８】
2008304564.tif 000010
【図９】
2008304564.tif 000011
【図１０】
2008304564.tif 000012
【図１１】
2008304564.tif 000013